(57)【要約】【課題】機械的および電気的耐久性を高めると共に、製造コストの上昇を抑え、また、鍵違いの個数を増やす。【解決手段】鍵２には複数の抵抗部材１１から構成される鍵回路６を設け、錠制御装置３には、鍵回路６の複数の抵抗部材１１の抵抗値の組み合わせによって形成される鍵情報を検出し、この鍵情報に基づいて施錠装置４における施解錠動作を制御する錠制御回路８を設ける。鍵２には凹凸や窪みを設ける必要がないため、鍵２の機械的耐久性を高めることができ、鍵回路６にはノイズや静電気に弱い能動素子が設けられていないので鍵２の電気的耐久性を高めることができる。また、抵抗部材１１の個数を増加させることにより、製造コストの上昇を抑えながら鍵違いの個数を増やすことができる。【選択図】図１
2011174268.tif 000002
【特許請求の範囲】
【請求項１】
鍵と、施錠対象物の施錠を行う施錠装置を制御する錠制御装置とを備えた電気錠システムであって、
前記鍵は鍵回路を備え、
前記鍵回路は、
前記鍵の内部に設けられ、所定の抵抗値を有する複数の抵抗部材と、
前記鍵の表面側に設けられ、前記複数の抵抗部材にそれぞれ電気的に接続された複数の鍵側電極とを備え、
前記錠制御装置は、鍵穴を有する鍵穴部材と錠制御回路とを備え、
前記錠制御回路は、
前記鍵穴内面に設けられ、前記鍵が前記鍵穴に挿入されたときに前記複数の鍵側電極とそれぞれ電気的に接続される複数の錠側電極を有し、
前記複数の鍵側電極と前記複数の錠側電極との電気的な接続により前記鍵回路と電気的に接続され、検出電流を前記鍵回路に流すことにより、前記鍵回路の前記複数の抵抗部材の抵抗値の組み合わせによって形成される鍵情報を検出し、当該鍵情報に基づいて前記施錠装置における施解錠動作を制御することを特徴とする電気錠システム。
【請求項２】
前記鍵情報は前記鍵を特定するための鍵特定情報を含み、
前記錠制御回路は、前記鍵回路から検出した前記鍵情報に含まれる前記鍵特定情報と、予め記憶された錠照合情報とを照合し、当該鍵特定情報と当該錠照合情報とが一致したときに、前記施錠装置を解錠制御するための制御信号を前記施錠装置に出力することを特徴とする請求項１に記載の電気錠システム。
【請求項３】
前記鍵情報は、前記鍵が少なくとも照合鍵および登録鍵のいずれであるかを判別するための鍵種類情報を含み、
前記錠制御回路は、前記鍵回路から検出した前記鍵情報に含まれる前記鍵種類情報により前記鍵が少なくとも照合鍵および登録鍵のいずれであるかを判別し、前記鍵が照合鍵である場合には、前記鍵回路から検出した前記鍵情報に含まれる前記鍵特定情報と前記鍵照合情報との照合を行い、前記鍵が登録鍵である場合には、前記鍵回路から検出した前記鍵情報に含まれる前記鍵特定情報を前記鍵照合情報として記憶することを特徴とする請求項２に記載の電気錠システム。
【請求項４】
前記鍵特定情報は前記施錠対象物の属性を示す属性情報を含むことを特徴とする請求項２ないし３のいずれかに記載の電気錠システム。
【請求項５】
前記鍵特定情報は前記鍵の追番を示す追番情報を含むことを特徴とする請求項２ないし４のいずれかに記載の電気錠システム。
【請求項６】
前記錠制御装置の前記鍵穴部材は、
前記鍵の前記鍵穴への挿入が開始されたことを検出する鍵挿入開始検出部と、
前記鍵の前記鍵穴への挿入が完了したことを検出する鍵挿入完了検出部とを備えていることを特徴とする請求項１ないし５のいずれかに記載の電気錠システム。
【請求項７】
前記鍵回路はスイッチ制御回路部を有し、
前記錠制御回路は、前記鍵回路と前記錠制御回路とが電気的に接続されていないときには第１の態様となり、前記鍵回路と前記錠制御回路とが電気的に接続されたときには前記スイッチ制御回路部により制御されて第２の態様となるスイッチ部材を有し、
前記錠制御回路において、前記スイッチ部材が前記第１の態様となっている間は前記鍵回路から前記鍵情報を正しく検出することが可能な回路が形成されず、前記スイッチ部材が前記第２の態様となっている間は前記鍵回路から前記鍵情報を正しく検出することが可能な回路が形成されることを特徴とする請求項１ないし６のいずれかに記載の電気錠システム。
【発明の詳細な説明】
【技術分野】
【０００１】
本発明は、電気回路を利用して施錠対象物の施錠を行う電気錠システムに関する。
【背景技術】
【０００２】
一般的なシリンダ錠では、シリンダの鍵穴に鍵が挿入されたとき、鍵に形成された凹凸または窪みによりシリンダ内のタンブラがシアラインに一致するように移動し、これによりシリンダの外筒に対して内筒が回転可能となり、例えばドア等の施錠対象物の施解錠を行うことができるようになる。
【０００３】
このような凹凸や窪み等の鍵の形状に依拠して施解錠を行うシリンダ錠では、同一形状の鍵を複製することにより合鍵を作ることができてしまう。このため、鍵の管理を怠ると、不正に複製された合鍵により施錠対象物を意に反して解錠されてしまうおそれがある。また、ピッキングによる不正解錠を許してしまうおそれもある。
【０００４】
一方、鍵の形状ないし機械的構造ではなく、電気回路を利用して施解錠を行う電気錠システムが知られている。例えば、下記の特許文献１に記載の電気錠システムでは、鍵と錠にそれぞれ電気回路を設け、鍵が錠の鍵穴に挿入されたときに、鍵側の電気回路から出力されたパターンデータを錠側の電気回路が受け取り、錠側の電気回路でパターンデータの照合を行い、この照合結果に基づいて施錠対象物の施解錠を行う。
【０００５】
このような電気錠システムによれば、鍵の形状に依拠して施解錠を行うシリンダ錠と比較して合鍵を作ることが困難であり、また、ピッキングを極めて困難にし得る。
【先行技術文献】
【特許文献】
【０００６】
【特許文献１】特開２００５−２３２８８１号公報
【発明の概要】
【発明が解決しようとする課題】
【０００７】
ところで、上述したように鍵の形状に依拠して施解錠を行うシリンダ錠では、鍵を抜き差ししているうちに鍵の凹凸や窪み、あるいは錠のタンブラが摩耗し、使用期間が極めて長い場合には解錠不良が生じるおそれがある。
【０００８】
一方、上述したような特許文献１に記載の電気錠システムでは、鍵や錠が摩耗することによる解錠不良は生じにくい。しかしながら、この電気錠システムでは、鍵から錠に出力するパターンデータを生成するために、フィールドプログラマブルゲートアレイを含む電気回路を鍵に設けている。フィールドプログラマブルゲートアレイのように能動素子を含む電気回路は、ノイズ、静電気等により破損または誤動作するおそれがある。この結果、特許文献１に記載の電気錠システムは、ノイズ、静電気等による解錠不良が生じるおそれがある。
【０００９】
この点、フィールドプログラマブルゲートアレイをノイズ、静電気等から保護する回路を鍵に組み込むことにより、上記ノイズ、静電気等による解錠不良の問題を解消することができる可能性がある。しかしながら、このような保護回路を鍵に組み込むことは、多くの場合、電気錠システムの製造コストの上昇を招く。
【００１０】
また、特許文献１に記載の電気錠システムでは、鍵から錠に出力されたパターンデータの照合を行うことにより施解錠を制御する。このため、相互に異なる鍵（鍵違い）の個数を増やすためには、パターンデータのデータ長を長くする必要がある。パターンデータのデータ長を長くするためには、鍵に組み込むフィールドプログラマブルゲートアレイにおけるゲートアレイの個数を増加させるか、あるいは１つの鍵に複数のフィールドプログラマブルゲートアレイを設ける等の措置を講ずる必要があり、この結果、電気錠システムの製造コストが上昇してしまう。
【００１１】
本発明は例えば上述したような問題に鑑みなされたものであり、本発明の第１の課題は、機械的な耐久性および電気的な耐久性を高めることができ、かつ製造コストの上昇を抑えることができる電気錠システムを提供することにある。
【００１２】
本発明の第２の課題は、製造コストの上昇を抑えながら鍵違いの個数を増やすことができる電気錠システムを提供することにある。
【課題を解決するための手段】
【００１３】
上記課題を解決するために、本発明の第１の電気錠システムは、鍵と、施錠対象物の施錠を行う施錠装置を制御する錠制御装置とを備えた電気錠システムであって、前記鍵は鍵回路を備え、前記鍵回路は、前記鍵の内部に設けられ、所定の抵抗値を有する複数の抵抗部材と、前記鍵の表面側に設けられ、前記複数の抵抗部材にそれぞれ電気的に接続された複数の鍵側電極とを備え、錠制御装置は、鍵穴を有する鍵穴部材と錠制御回路とを備え、前記錠制御回路は、前記鍵穴内面に設けられ、前記鍵が前記鍵穴に挿入されたときに前記複数の鍵側電極とそれぞれ電気的に接続される複数の錠側電極を有し、前記複数の鍵側電極と前記複数の錠側電極との電気的な接続により前記鍵回路と電気的に接続され、検出電流を前記鍵回路に流すことにより、前記鍵回路の前記複数の抵抗部材の抵抗値の組み合わせによって形成される鍵情報を検出し、当該鍵情報に基づいて前記施錠装置における施解錠動作を制御することを特徴とする。
【００１４】
本発明の第１の電気錠システムでは、鍵回路を構成する複数の抵抗部材により形成される鍵情報に基づいて施解錠制御を行うので、鍵に凹凸や窪みを形成する必要がなく、これにより鍵の機械的な耐久性が高まると共に、鍵の形状等について設計の自由度が増す。また、鍵が有する鍵回路が複数の抵抗部材により構成され、能動素子を含まないので、鍵のノイズ、静電気等に対する耐久性が高まる。
【００１５】
また、本発明の第２の電気錠システムは、上述した第１の電気錠システムにおいて、前記鍵情報は前記鍵を特定するための鍵特定情報を含み、前記錠制御回路は、前記鍵回路から検出した前記鍵情報に含まれる前記鍵特定情報と、予め記憶された錠照合情報とを照合し、当該鍵特定情報と当該錠照合情報とが一致したときに、前記施錠装置を解錠制御するための制御信号を前記施錠装置に出力することを特徴とする。
【００１６】
本発明の第２の電気錠システムでは、鍵が有する鍵情報に含まれる鍵特定情報と、錠制御装置が有する鍵照合情報とを照合するといった電気的な手段により施錠装置の施解錠動作を制御する構成であるため、優れた機械的および電気的耐久性を有する電気錠システムを実現することができる。
【００１７】
また、本発明の第３の電気錠システムは、上述した第２の電気錠システムにおいて、前記鍵情報は、前記鍵が少なくとも照合鍵および登録鍵のいずれであるかを判別するための鍵種類情報を含み、前記錠制御回路は、前記鍵回路から検出した前記鍵情報に含まれる前記鍵種類情報により前記鍵が少なくとも照合鍵および登録鍵のいずれであるかを判別し、前記鍵が照合鍵である場合には、前記鍵回路から検出した前記鍵情報に含まれる前記鍵特定情報と前記鍵照合情報との照合を行い、前記鍵が登録鍵である場合には、前記鍵回路から検出した前記鍵情報に含まれる前記鍵特定情報を前記鍵照合情報として記憶することを特徴とする。
【００１８】
本発明の第３の電気錠システムでは、鍵の種類を示す鍵種類情報を鍵に持たせることで、錠制御装置において鍵の種類の判別を自動的に行うことができ、鍵の種類に応じて照合処理、登録処理等を自動的に選択して実行することができる。
【００１９】
また、本発明の第４の電気錠システムは、上述した第２ないし第３のいずれかの電気錠システムにおいて、前記鍵特定情報は前記施錠対象物の属性を示す属性情報を含むことを特徴とする。
【００２０】
本発明の第４の電気錠システムでは、施錠対象物の属性を示す属性情報を鍵に持たせることで、この属性情報に基づいて鍵の管理等を容易に行うことが可能になる。
【００２１】
また、本発明の第５の電気錠システムは、上述した第２ないし第４のいずれかの電気錠システムにおいて、前記鍵特定情報は前記鍵の追番を示す追番情報を含むことを特徴とする。
【００２２】
本発明の第５の電気錠システムでは、追番情報を鍵に持たせることで、この追番情報に基づいて鍵の管理等を容易に行うことが可能になる。
【００２３】
また、本発明の第６の電気錠システムは、上述した第１ないし第５のいずれかの電気錠システムにおいて、前記錠制御装置の前記鍵穴部材は、前記鍵の前記鍵穴への挿入が開始されたことを検出する鍵挿入開始検出部と、前記鍵の前記鍵穴への挿入が完了したことを検出する鍵挿入完了検出部とを備えていることを特徴とする。
【００２４】
本発明の電気錠システムでは、鍵が鍵穴へ完全に挿入されたことを確認してから鍵特定情報の照合処理等を行うことで、鍵特定情報の誤検出や照合の誤動作等を防止することができる。
【００２５】
また、本発明の第７の電気錠システムは、上述した第１ないし第６のいずれかの電気錠システムにおいて、前記鍵回路はスイッチ制御回路部を有し、前記錠制御回路は、前記鍵回路と前記錠制御回路とが電気的に接続されていないときには第１の態様となり、前記鍵回路と前記錠制御回路とが電気的に接続されたときには前記スイッチ制御回路部により制御されて第２の態様となるスイッチ部材を有し、前記錠制御回路において、前記スイッチ部材が前記第１の態様となっている間は前記鍵回路から前記鍵情報を正しく検出することが可能な回路が形成されず、前記スイッチ部材が前記第２の態様となっている間は前記鍵回路から前記鍵情報を正しく検出することが可能な回路が形成されることを特徴とする。
【００２６】
本発明の第７の電気錠システムでは、鍵回路のスイッチ制御回路部により制御されて錠制御回路のスイッチ部材が第１の態様から第２の態様に切り替わらなければ鍵情報の検出を正しく行うことができないので、鍵回路、錠制御回路等を解析して鍵情報を不正に読み取ることや、錠制御装置を不正な手段で動作させることが極めて困難になる。
【発明の効果】
【００２７】
本発明によれば、電気錠システムの機械的な耐久性および電気的な耐久性を高めることができ、かつ製造コストの上昇を抑えることができる。また、本発明によれば、製造コストの上昇を抑えながら鍵違いの個数を増やすことができる。
【図面の簡単な説明】
【００２８】
【図１】本発明の第１の実施形態による電気錠システムを示す説明図である。
【図２】本発明の第１の実施形態による電気錠システムにおける鍵を示す縦断面図である。
【図３】本発明の第１の実施形態による電気錠システムにおける錠制御装置のシリンダを示す縦断面図である。
【図４】本発明の第１の実施形態による電気錠システムにおいて鍵がシリンダの鍵穴に挿入された状態を示す縦断面図である。
【図５】本発明の第１の実施形態による電気錠システムにおいて、相互に電気的に接続された鍵回路および錠制御回路を示す回路図である。
【図６】本発明の第１の実施形態による電気錠システムにおける鍵情報のデータ構造を示す説明図である。
【図７】本発明の第１の実施形態による電気錠システムにおける鍵特定情報の照合、登録、抹消の動作を示すフローチャートである。
【図８】本発明の第２の実施形態による電気錠システムにおける鍵回路および錠制御回路を示す回路図である。
【発明を実施するための形態】
【００２９】
（第１の実施形態）
本発明の第１の実施形態について図１ないし図７に従って説明する。
【００３０】
（電気錠システム）
図１は本発明の第１の実施形態による電気錠システムを示している。図１において、本発明の第１の実施形態による電気錠システム１は、鍵２と錠制御装置３とを備え、これら鍵２と錠制御装置３との協働によって施錠装置４を制御し、これにより施錠対象物の施錠を行うシステムである。
【００３１】
鍵２は鍵回路６を備えている。錠制御装置３は、鍵穴７Ａを有する鍵穴部材としてのシリンダ７と錠制御回路部８とを備えている。利用者が鍵２の摘み部２Ａを持って鍵２の挿入部２Ｂをシリンダ７の鍵穴７Ａに挿入したとき、鍵２の挿入部２Ｂの表面に配置された鍵側電極１２とシリンダ７の鍵穴７Ａ内に配置された錠側電極１５（図３参照）とが電気的に接続され、これにより、鍵回路６と錠制御回路部８とが電気的に接続される。
【００３２】
後述するように、鍵回路６は複数の抵抗部材１１（図２参照）を有している。鍵回路６と接続された錠制御回路部８は、鍵回路６の複数の抵抗部材１１に検出電流を流すことにより、これら抵抗部材１１の組み合わせによって形成される鍵情報３１（図６参照）を検出し、この鍵情報３１に基づいて施錠装置４を制御し、施錠対象物の施錠、解錠を行う。なお、施錠対象物は例えば住宅における建具用のドアであり、施錠装置４は例えばドアロック装置である。
【００３３】
（鍵）
図２は鍵２を示している。図２において、鍵２は、例えば樹脂等の絶縁材料により形成され、摘み部２Ａおよび挿入部２Ｂを有している。なお、挿入部２Ｂにおいて鍵回路６が設けられている部分を絶縁材料により形成し、他の部分を例えば金属材料により形成してもよい。
【００３４】
また、鍵２の挿入部２Ｂには鍵回路６が設けられている。鍵回路６は、挿入部２Ｂの内部に設けられ、所定の抵抗値を有する複数の抵抗部材１１と、挿入部２Ｂの表面側に設けられ、複数の抵抗部材１１にそれぞれ電気的に接続された複数の鍵側電極１２を備えている。
【００３５】
各抵抗部材１１は例えば固定の抵抗値を有する抵抗素子であり、各抵抗部材１１の抵抗値は、後述する鍵情報３１の内容等に応じ、例えば鍵２の製造時に決められる。各抵抗部材１１の抵抗値は、鍵情報３１の内容等により、相互に異なる場合もあれば、同じになる場合もある。一方、各鍵側電極１２は導電性を有する材料により形成されている。
【００３６】
鍵回路６は、鍵挿入完了回路部６Ａ、現場コード回路部６Ｂ、部屋番号回路部６Ｃ、追番回路部６Ｄおよび鍵種類回路部６Ｅに分かれており、複数の抵抗部材１１および複数の鍵側電極１２は、これら回路部６Ａ〜６Ｅごとに分かれて配置されている。
【００３７】
鍵挿入完了回路部６Ａは、鍵２がシリンダ７の鍵穴７Ａの奥まで完全に挿入され、鍵２の鍵穴７Ａへの挿入が完了したことを、シリンダ７に設けられた後述の鍵挿入完了検出部１９および鍵挿入状況検出回路に検出させるための回路部である。鍵挿入完了回路部６Ａは、例えば１つの抵抗部材１１の両端部に２つの鍵側電極１２を電気的に接続することにより形成され、鍵２の挿入部２Ｂの先端部に配置されている。
【００３８】
現場コード回路部６Ｂは、鍵情報３１に含まれる鍵特定情報３３中の現場コード情報３４を形成するための回路部である。現場コード回路部６Ｂは、例えば、７つの抵抗部材１１と、これら抵抗部材１１のそれぞれの両端部に電気的に接続された１４個の鍵側電極１２とから形成されている。現場コード回路部６Ｂに設けられた７つの抵抗部材１１のうちの５つの抵抗部材１１の抵抗値を組み合わせることにより、５ビットの２値情報である現場コード情報３４が形成される。現場コード情報３４の内容については後述する。
【００３９】
また、現場コード回路部６Ｂに設けられた７つの抵抗部材１１のうち、残りの２つの抵抗部材１１はダミーである。ダミーの抵抗部材１１を設けることにより、現場コード情報３４が不正に読み取られることを防ぐことができる。ダミーの抵抗部材１１の配置を個々の鍵２によって変えることにより、不正読取防止の効果を高めることができる。
【００４０】
部屋番号回路部６Ｃは、鍵情報３１に含まれる鍵特定情報３３中の部屋番号情報３５を形成するための回路部である。部屋番号回路部６Ｃは、例えば、８つの抵抗部材１１と、これら抵抗部材１１の一端部に電気的に接続された８つの鍵側電極１２と、錠制御回路部８から部屋番号回路部６Ｃに検出電流を供給するための鍵側電極１２（部屋番号回路部６Ｃにおいて図２中最も右側に配置された電極）とから形成されている。部屋番号情報３５の内容については後述する。
【００４１】
また、部屋番号回路部６Ｃに設けられた８つの抵抗部材１１のうちの５つの抵抗部材１１の抵抗値を組み合わせることにより、５ビットの２値情報である部屋番号情報３５が形成される。部屋番号回路部６Ｃに設けられた８つの抵抗部材１１のうち、残りの３つの抵抗部材１１はダミーである。ダミーの抵抗部材１１を設けることにより、部屋番号情報３５が不正に読み取られることを防ぐことができる。ダミーの抵抗部材１１の配置を個々の鍵２によって変化させれば、不正読取防止の効果を高めることができる。
【００４２】
追番回路部６Ｄは、鍵情報３１に含まれる鍵特定情報３３中の追番情報３６を形成するための回路部である。追番回路部６Ｄは、例えば、８つの抵抗部材１１と、これら抵抗部材１１の一端部に電気的に接続された８つの鍵側電極１２と、錠制御回路部８から追番回路部６Ｄに検出電流を供給するための鍵側電極１２（追番回路部６Ｄにおいて図２中最も右側に配置された電極）とから形成されている。追番回路部６Ｄに設けられた８つの抵抗部材１１のうちの３つの抵抗部材１１の抵抗値を組み合わせることにより、３ビットの２値情報である追番情報３６が形成される。追番情報３６の内容については後述する。
【００４３】
また、追番回路部６Ｄに設けられた８つの抵抗部材１１のうち、残りの５つの抵抗部材１１はダミーである。現場コード回路部６Ｂや部屋番号回路部６Ｃの場合と同様に、ダミーの抵抗部材１１により、追番情報３６が不正に読み取られることを防ぐことができる。
【００４４】
鍵種類回路部６Ｅは、鍵情報３１に含まれる鍵種類情報３２を形成するための回路部である。鍵種類回路部６Ｅは、例えば、２つの抵抗部材１１と、これら抵抗部材１１の両端部に電気的にそれぞれ接続された４つの鍵側電極１２とから形成されている。鍵種類回路部６Ｅに設けられた２つの抵抗部材１１の抵抗値を組み合わせることにより、２ビットの２値情報である鍵種類情報３２が形成される。鍵種類情報３２の内容については後述する。
【００４５】
（シリンダ）
図３は錠制御装置３のシリンダ７を示している。図４はシリンダ７の鍵穴７Ａに鍵２が完全に挿入された状態を示している。図３において、シリンダ７は、例えば樹脂等の絶縁材料により形成されている。なお、シリンダ７において錠側電極１５および配線１６が設けられている部分を絶縁材料により形成し、他の部分を例えば金属材料により形成してもよい。また、シリンダ７には鍵穴７Ａが形成されている。鍵２の挿入部２Ｂが鍵穴７Ａに嵌合するように、鍵穴７Ａは、鍵２の挿入部２Ｂの形状にほぼ合致する形状を有している。
【００４６】
また、シリンダ７の鍵穴７Ａの内面側には複数の錠側電極１５が設けられている。各錠側電極１５は、導電性を有する材料により形成されている。また、これら錠側電極１５は、鍵２の挿入部２Ｂに設けられた複数の鍵側電極１２とそれぞれ対応するように設けられている。すなわち、図４に示すように、鍵２の挿入部２Ｂが鍵穴７Ａに完全に挿入されたとき、複数の鍵側電極１２と複数の錠側電極１５とはそれぞれ相互に対抗し、かつ相互に接触し、これにより、複数の鍵側電極１２と複数の錠側電極１５とはそれぞれ相互に電気的に接続される。さらに、シリンダ７の内部には、各錠側電極１５と錠制御回路部８とを電気的に接続する配線１６が設けられている。
【００４７】
また、鍵２の挿入口７Ｂが形成されたシリンダ７の一端側には、蓋板１７および鍵挿入開始検出部としての鍵挿入開始センサ１８が設けられている。蓋板１７は鍵穴７内において挿入口７Ｂの近傍に傾転可能に取り付けられている。鍵２の挿入部２Ｂが鍵穴７Ａに挿入されていないときには、蓋板１７は、図示しないばね等により付勢され、鍵穴７Ａ内で立ち上がり、鍵穴７Ａ内から挿入口７Ｂを閉塞している。一方、鍵２の挿入部２Ｂが鍵穴７Ａに挿入されたときには、蓋板１７は、鍵２の挿入部２Ｂの先端により押され、鍵穴７Ａの内面に沿うように倒れる。鍵挿入開始センサ１８は、蓋板１７が倒れたことを検出することにより、鍵２の挿入部２Ｂの鍵穴７Ａへの挿入が開始されたことを検出する。鍵挿入開始センサ１８は、例えば、蓋板１７との接触を検出する接触センサにより構成されている。
【００４８】
また、シリンダ７において、挿入口７Ｂから見て鍵穴７Ａの最も奥側（図３中の最も右側）に配置された２つの錠側電極１５により鍵挿入完了検出部１９が形成されている。鍵２の挿入部２Ｂが鍵穴７Ａに完全に挿入されたとき、鍵挿入完了検出部１９の錠側電極１５は、鍵２の挿入部２Ｂの先端部に設けられた鍵挿入完了回路部６Ａの鍵側電極１２と接触して電気的に接続される。これら鍵側電極１２と錠側電極１５との電気的接続を検出することにより、鍵２の挿入部２Ｂが鍵穴７Ａに完全に挿入されたこと、すなわち、鍵２の鍵穴７Ａへの挿入が完了したことを認識することができる。
【００４９】
（錠制御回路部）
図５は、鍵２の挿入部２Ｂがシリンダ７の鍵穴７Ａに挿入されたことにより相互に電気的に接続された鍵回路６と錠制御回路部８とを示している。なお、図５では、説明の便宜上、鍵回路６については現場コード回路部６Ｂのみを示し、錠制御回路部８においてＣＰＵ（Ｃｅｎｔｒａｌ  Ｐｒｏｃｅｓｓｉｎｇ  Ｕｎｉｔ）２５およびメモリ２６を除く部分については現場コード情報３４の検出に関する部分のみを示している。
【００５０】
図５において、錠制御回路部８は、鍵回路６の抵抗部材１１と共に検出電圧を生成する抵抗部材２１と、基準電圧を生成する２つの抵抗部材２２、２３と、検出電圧と基準電圧とを比較するコンパレータ２４とから構成される比較回路を、検出すべき鍵情報のビット数等に応じて複数備えている。さらに、錠制御回路部８は、各比較回路と接続され、鍵の挿入状況の認識、鍵の種類の認識、鍵情報の照合処理、登録処理、抹消処理等を行うＣＰＵ２５と、ＣＰＵ２５に接続され、鍵照合情報の記憶等に用いられるメモリ２６とを備えている。さらに、錠制御回路部８は、各比較回路、ＣＰＵ２５およびメモリ２６に電力を供給する電源部（図示せず）を備えている。各抵抗部材２１、２２、２３は例えば固定の抵抗値を有する抵抗素子であり、各コンパレータ２４は例えばオペアンプである。
【００５１】
相互に電気的に接続された鍵回路６および錠制御回路部８は次のように動作する。図５において、抵抗値ＲＡ１、ＲＡ２、ＲＡ３、ＲＡ４を有する抵抗部材１１、２１、２２、２３と、これらの抵抗部材１１、２１、２２、２３が接続された、図５中の最も上側に位置するコンパレータ２４とから構成される１つの比較回路に着目する。この比較回路において、抵抗部材１１と抵抗部材２１とが接続された線路に電圧Ｖ１を印加し、当該線路に検出電流を流すと、抵抗部材１１の抵抗値ＲＡ１と抵抗部材２１の抵抗値ＲＡ２とにより電圧Ｖ１が分圧され、検出電圧が生成される。そして、この検出電圧はコンパレータ２４の一方の入力端子に入力される。また、抵抗部材２２と抵抗部材２３とが接続された線路に電圧Ｖ２を印加すると、抵抗部材２２の抵抗値ＲＡ３と抵抗部材２３の抵抗値ＲＡ４とにより電圧Ｖ２が分圧され、基準電圧が生成される。そして、この基準電圧はコンパレータ２４の他方の入力端子に入力される。コンパレータ２４は、それぞれ入力された検出電圧と基準電圧とを比較し、例えば、検出電圧が基準電圧よりも高い場合にはハイレベル（Ｈ）の出力電圧をＣＰＵ２５に出力し、検出電圧が基準電圧よりも低い場合にはローレベル（Ｌ）の出力電圧をＣＰＵ２５に出力する。このようなコンパレータ２４の比較動作を数式で表すと次のようになる。
【００５２】
【数１】
2011174268.tif 000003
上記数式より、抵抗値ＲＡ２、ＲＡ３、ＲＡ４が一定であり、抵抗値ＲＡ１が一定でない（すなわち挿入する鍵２を変更すれば、抵抗値ＲＡ１が変化することがある）場合には、抵抗値ＲＡ１に応じてコンパレータ２４の出力電圧のレベルが決まる。すなわち、鍵２に設けられた鍵回路６の抵抗部材１１の抵抗値ＲＡ１によって錠制御回路部８のコンパレータ２４の出力電圧のレベルが決まる。
【００５３】
錠制御回路部８に設けられた複数の比較回路がこのような比較動作をそれぞれ行うことにより、各コンパレータ２４からＣＰＵ２５に出力される出力電圧のレベルは、鍵回路６の複数の抵抗部材１１の抵抗値の組み合わせによって形成される鍵情報３１を構成する各ビットの状態を示すこととなる。したがって、ＣＰＵ２５は、各コンパレータ２４から出力される出力電圧のレベルに基づいて鍵情報３１を認識することができる。ＣＰＵ２５は、このようにして認識した鍵情報３１に基づいて、後述する照合処理、登録処理および抹消処理を行う。
【００５４】
また、錠制御回路部８のＣＰＵ２５は、鍵挿入開始センサ１８から出力される検出信号に基づいて、鍵２の挿入部２Ｂの鍵穴７Ａへの挿入を認識する機能を備えている。また、錠制御回路部８には、鍵挿入完了検出部１９の錠側電極１５と鍵挿入完了回路部６Ａの鍵側電極１２とが接触し、これら錠側電極１５と鍵側電極１２とが電気的に接続されたことを検出する鍵挿入状況検出回路（図示せず）を備え、ＣＰＵ２５は、この鍵挿入状況検出回路からの出力に基づいて、鍵２の挿入部２Ｂが鍵穴７Ａに完全に挿入されたことを認識する機能を備えている。なお、この鍵挿入状況検出回路は、上述した鍵情報３１の各ビット状態を検出するための比較回路と同様の構成により実現することができる。
【００５５】
（鍵情報）
図６は鍵情報の構成を示している。図６に示すように、鍵情報３１は、鍵種類情報３２および鍵特定情報３３から構成されている。鍵種類情報３２は、鍵２の種類、すなわち、鍵２が照合鍵、登録鍵、抹消鍵のいずれであるかを示す情報である。登録鍵とは、鍵情報３１を錠制御装置３に登録するときに使用する鍵である。照合鍵とは、登録鍵により鍵情報３１の登録が済んだ後、施錠対象物の施解錠を行うときに使用する鍵である。抹消鍵とは、鍵情報３１の登録を錠制御装置３から抹消するときに使用する鍵である。鍵種類情報３２は、２ビットの２値情報であり、鍵回路６の鍵種類回路部６Ｅにおける２つの抵抗部材１１の抵抗値の組み合わせにより形成される。例えば、照合鍵を示す鍵種類情報３２は「００」であり、登録鍵を示す鍵種類情報３２は「０１」であり、抹消鍵を示す鍵種類情報３２は「１０」である。
【００５６】
鍵特定情報３３は、現場コード情報３４、部屋番号情報３５および追番情報３６から構成されている。現場コード情報３４は、例えば、１つの建物を特定するための情報である。建物が異なれば、現場コード情報３４も異なる。現場コード情報３４は、例えば５ビットの２値情報であり、鍵回路６の現場コード回路部６Ｂに含まれる５つの抵抗部材１１の抵抗値の組み合わせにより形成される。
【００５７】
部屋番号情報３５は、例えば、建物における１つの部屋を特定するための情報である。部屋が異なれば、部屋番号情報３５も異なる。部屋番号情報３５は、例えば５ビットの２値情報であり、鍵回路６の部屋番号回路部６Ｃに含まれる５つの抵抗部材１１の抵抗値の組み合わせにより形成される。
【００５８】
追番情報３６は、例えば、鍵２の追番を示す情報である。追番情報３６は、例えば３ビットの２値情報であり、鍵回路６の追番回路部６Ｄに含まれる３つの抵抗部材１１の抵抗値の組み合わせにより形成される。例えば、オリジナルの鍵２には追番情報３６として「０００」が割り当てられ、１個目の合鍵２には追番情報３６として「００１」が割り当てられ、２個目の合鍵２には追番情報３６として「０１０」が割り当てられる。
【００５９】
（照合、登録、抹消の処理）
図７は錠制御回路部８のＣＰＵ２５における鍵情報３１の照合、登録および抹消の動作を示している。図７において、電気錠システム１を稼働させるべく、錠制御回路部８に外部から電力を供給すると、錠制御回路部８のＣＰＵ２５が起動し、ＣＰＵ２５において初期設定が行われる（ステップＳ１）。初期設定完了後、ＣＰＵ２５は、鍵２の鍵穴７Ａへの挿入が開始されるのを待つ（ステップＳ２）。
【００６０】
鍵２の鍵穴７Ａへの挿入が開始されると、シリンダ７の蓋板１７が倒れ、これを鍵挿入開始センサ１８が検出し、鍵挿入開始センサ１８からＣＰＵ２５に検出信号を出力される。ＣＰＵ２５はこの検出信号に基づいて、鍵２の鍵穴７Ａへの挿入が開始されたことを認識する（ステップＳ２：ＹＥＳ）。
【００６１】
そして、鍵２の挿入部２Ｂが鍵穴７Ａに完全に挿入されると、鍵２の挿入部２Ｂの先端部に設けられた鍵挿入完了回路６Ａの鍵側電極１２と、鍵穴７Ａの最も奥側に設けられた鍵挿入完了検出部１９の錠側電極１５とが互いに接触し、これら鍵側電極１２と錠側電極１５とが電気的に接続される。錠制御回路部８に設けられた鍵挿入状況検出回路が、これら鍵側電極１２と錠側電極１５との電気的接続を検出し、鍵挿入状況検出回路からＣＰＵ２５に検出信号が出力される。ＣＰＵ２５はこの検出信号に基づいて、鍵２の挿入部２Ｂが鍵穴７Ａに完全に挿入され、鍵２の鍵穴７Ａへの挿入が完了したことを認識し（ステップＳ３：ＹＥＳ）、処理をステップＳ６に移行させる。
【００６２】
一方、鍵２の鍵穴７Ａへの挿入が開始されたことを認識してから所定時間経過しても、鍵挿入状況検出回路から検出信号が出力されないときには、ＣＰＵ２５は鍵２の鍵穴７Ａへの挿入が不完全であると判断し（ステップＳ３：ＮＯ）、例えば警告ランプ（図示せず）を点滅させ、鍵２の挿入をやり直すべき旨の警告を利用者に向けて発する（ステップＳ４）。続いて、ＣＰＵ２５は、処理を初期状態に戻すためにリセット処理を行い（ステップＳ５）、ステップＳ２に戻って利用者が鍵２の挿入をやり直すのを待つ。
【００６３】
さて、鍵２の鍵穴７Ａへの挿入が完了したとき、鍵回路６の各鍵側電極１２とシリンダ７の各錠側電極１５とが相互に接触し、両者が相互に電気的に接続される。そして、錠制御回路部８からの検出電流が、鍵回路６の各抵抗部材１１を流れる。この結果、錠制御回路部８の各比較回路により、検出電圧と基準電圧との比較が行われ、鍵回路６の各抵抗部材１１の抵抗値の組み合わせによって形成される鍵情報３１の各ビットの状態に対応したレベルを有する出力電圧が各比較回路のコンパレータ２４からＣＰＵ２５に出力される。ＣＰＵ２５は、各コンパレータ２４からの出力電圧のレベルに基づいて鍵情報３１を認識し、この認識した鍵情報３１をＣＰＵ２５の内部メモリ（図示せず）に一時的に記憶する。続いて、ＣＰＵ２５は、この鍵情報３１に含まれる鍵種類情報３２に基づいて、鍵穴７Ａに挿入されている鍵２の種類を判別する（ステップＳ６）。
【００６４】
判別の結果、鍵穴７Ａに挿入されている鍵２が照合鍵の場合には、ＣＰＵ２５は鍵情報３１に含まれる鍵特定情報３３の照合処理を行う（ステップＳ７）。この照合処理において、ＣＰＵ２５は、鍵特定情報３３と、メモリ２６に記憶された鍵照合情報とを照合し、両者が一致した場合には（ステップＳ８：ＹＥＳ）、照合完了ランプ（図示せず）を点灯させることにより照合が完了したことを利用者に伝えると共に、施解錠制御信号を施錠装置４に出力する（ステップＳ９）。施錠装置４は、この施解錠制御信号に応じ、施錠対象物がまだ施錠されていない場合には施錠対象物を施錠し、施錠対象物がすでに施錠されている場合には施錠対象物を解錠する。
【００６５】
一方、照合処理において、鍵特定情報３３と鍵照合情報とが一致しなかったときには、ＣＰＵ２５は警告ランプを点滅させことにより、照合に失敗したことを利用者に伝える（ステップＳ４）。この場合、ＣＰＵ２５は施解錠制御信号の施錠装置４への出力を行わない。この結果、施錠装置４は、施錠対象物がまだ施錠されていない場合には施錠対象物が施錠されていない状態を維持し、施錠対象物がすでに施錠されている場合には施錠対象物が施錠された状態を維持する。続いて、ＣＰＵ２５はリセット処理を行い、鍵穴７Ａに挿入されている鍵２に係る鍵情報３１をＣＰＵ２５の内部メモリから消去し（ステップＳ５）、処理をステップＳ２に戻す。
【００６６】
また、ステップＳ６の判別の結果、鍵穴７Ａに挿入されている鍵２が登録鍵の場合には、ＣＰＵ２５は鍵特定情報３３の登録処理を行う（ステップＳ１０）。この登録処理において、ＣＰＵ２５は鍵情報３１に含まれる鍵特定情報３３を鍵照合情報としてメモリ２６に記憶する。登録処理が完了したときには（ステップＳ１１：ＹＥＳ）、登録完了ランプ（図示せず）を点灯させることにより登録が完了したことを利用者に伝える（ステップＳ１２）。
【００６７】
一方、登録に失敗したときには、警告ランプを点灯させることによりその旨を利用者に伝えた後（ステップＳ４）、鍵穴７Ａに挿入されている鍵２に係る鍵情報３１を内部メモリから消去し（ステップＳ５）、処理をステップＳ２に戻す。
【００６８】
また、ステップＳ６の判別の結果、鍵穴７Ａに挿入されている鍵２が抹消鍵の場合には、ＣＰＵ２５は鍵照合情報の抹消処理を行う（ステップＳ１３）。この抹消処理において、ＣＰＵ２５は鍵情報３１に含まれる鍵特定情報３３と一致する鍵照合情報をメモリ２６から消去する。抹消処理が完了したときには（ステップＳ１４：ＹＥＳ）、抹消完了ランプ（図示せず）を点灯させることにより抹消が完了したことを利用者に伝える（ステップＳ１５）。
【００６９】
一方、抹消に失敗したときには、警告ランプを点灯させることによりその旨を利用者に伝えた後（ステップＳ４）、鍵穴７Ａに挿入されている鍵２に係る鍵情報３１を内部メモリから消去し（ステップＳ５）、処理をステップＳ２に戻す。
【００７０】
照合処理、登録処理または抹消処理が完了したときには、ＣＰＵ２５は、内蔵のタイマをスタートさせ（ステップＳ１６）、照合処理、登録処理または抹消処理が完了してから所定時間が経過するまでに、鍵２が鍵穴７Ａから抜かれたか否かを判断する（ステップＳ１７）。照合処理、登録処理または抹消処理が完了してから所定時間が経過するまでに、鍵２が鍵穴７Ａから抜かれた場合には（ステップＳ１７：ＹＥＳ）、タイマをリセットし（ステップＳ１８）、処理をステップＳ２に戻す。
【００７１】
一方、照合処理、登録処理または抹消処理が完了してから所定時間が経過しても、鍵２が鍵穴７Ａから抜かれない場合には（ステップＳ１９：ＹＥＳ）、ＣＰＵ２５は警告ランプを点滅させ、鍵２の抜き忘れを利用者に伝えると共に（ステップＳ２０）、タイマをリセットし（ステップＳ２１）、処理をステップＳ１６に戻す。これにより、利用者が鍵の抜き忘れに気付いて鍵２を鍵穴７Ａから抜くまで、警告ランプの点滅が繰り返し行われる。
【００７２】
以上説明した通り、本発明の第１の実施形態による電気錠システム１では、鍵２に設けられた複数の抵抗部材１１の抵抗値の組み合わせによって形成される鍵情報３１を錠制御装置３の錠制御回路部８により検出および照合して施錠装置４の施解錠動作の制御を行う。これにより、鍵の形状に依拠して施解錠を行う従来のシリンダ錠のように、鍵の凹凸や錠のタンブラの摩耗により解錠不良が生じることがない。したがって、電気錠システム１によれば、鍵２およびシリンダ７の機械的な耐久性を高めることができる。
【００７３】
また、電気錠システム１における鍵情報３１は、鍵２に設けられた複数の抵抗部材１１の抵抗値の組み合わせによって形成される。鍵情報３１を形成するために鍵２に設けられた電気素子は受動素子のみであるため、ノイズおよび静電気等に対する耐久性が高い。したがって、電気錠システム１によれば、ノイズまたは静電気等により鍵回路６が破損し、または誤動作することを防止することができ、このような電気的な障害により解錠不良等が生じるのを防ぐことができ、電気的な耐久性を高めることができる。しかも、ノイズまたは静電気等の電気的な障害から鍵回路６等を保護するための保護回路等を設ける必要がないため、優れた電気的耐久性を簡単な構造により実現することができ、電気錠システム１の製造コストを低く抑えることができる。
【００７４】
また、電気錠システム１によれば、鍵回路６の抵抗部材１１の個数を増やして鍵情報３１のデータ長（ビット数）を増加させることにより、鍵違いの個数を増やすことができる。したがって、鍵違いの個数を極めて簡単に増やすことができ、膨大な鍵違いを作り出すことができる電気錠システムを低コストで実現することができる。
【００７５】
また、電気錠システム１では、鍵回路６の鍵種類回路部６Ｅにおける２つの抵抗部材１１の抵抗値の組み合わせによって鍵種類情報３２を形成し、この鍵種類情報３２を検出することにより、鍵２が照合鍵、登録鍵、抹消鍵のいずれであるかを判別し、鍵特定情報３３の照合処理、登録処理および抹消処理の選択を自動的に行う。したがって、利用者は、鍵特定情報３３の照合、登録および抹消を、鍵穴７Ａに挿入する鍵２の種類を選ぶだけで簡単にかつ確実に行うことができる。
【００７６】
また、電気錠システム１では、現場コード情報３４および部屋番号情報３５といった施錠対象物の属性を示す属性情報を用いて鍵特定情報３３を構成する。これにより、施錠対象物の管理者や他の管理システム等は、鍵特定情報３３に基づいて鍵２または錠制御装置３の管理を容易に行うことができる。例えば、鍵特定情報３３を読み取る専用の手段を用いて鍵２の鍵特定情報３３を読み取ることにより、その鍵２がどの建物のどの部屋の鍵かを特定することができる。
【００７７】
また、電気錠システム１の鍵特定情報３３には、鍵２の追番を示す追番情報３６が含まれている。これにより、施錠対象物の管理者や他の管理システム等は、追番情報３６に基づいて鍵２の追番管理を容易に行うことができる。
【００７８】
また、電気錠システム１によれば、鍵挿入開始センサ１８により鍵２の鍵穴７Ａへの挿入開始を容易かつ正確に認識することができ、また、鍵回路６の鍵挿入完了回路部６Ａ、シリンダ７の鍵挿入完了検出部１９および錠制御回路部８の鍵挿入状況検出回路により、鍵２が鍵穴７Ａに完全に挿入されたことを容易かつ正確に認識することができる。したがって、鍵情報３１の誤検出等に起因する電気錠システム１の誤動作等を防止することができる。
【００７９】
また、電気錠システム１によれば、鍵回路６に設ける抵抗部材１１等の電気的な構成により鍵違いを作り出すことができるため、鍵２の形状、シリンダ７の形状、および鍵穴７Ａの形状を自由に設計することができる。これにより、特定の用途への適合性、使い易さ、またはデザインに優れた鍵２、シリンダ７および鍵穴７Ａを実現することができる。
【００８０】
（第２の実施形態）
次に、本発明の第２の実施形態について図８に従って説明する。なお、図８において、図５に示す第１の実施形態と同一の構成要素には同一の符号を付し、その説明を省略する。図８に示すように、本発明の第２の実施形態による電気錠システム４１では、鍵４２の鍵回路４３に含まれる複数の抵抗部材４４のうちの例えば１つの抵抗部材４４がスイッチ制御回路部４５を形成している。さらに、鍵回路４３に含まれる複数の抵抗部材４４のうちの例えば２つの抵抗部材４４により、鍵情報を構成する複数のビットのうちの１つのビットの状態を示すように構成されている。さらに、錠制御装置４６の錠制御回路部４７において、スイッチ制御回路部４５に基づいてリレー（スイッチ部材）４８がオフ（第１の態様）からオン（第２の態様）に切り替わらなければ、鍵情報のビットの状態を検出するための回路部が形成されない構成となっている。
【００８１】
すなわち、鍵４２が鍵穴に完全に挿入され、鍵回路４３と錠制御回路部４７とが電気的に接続されると、鍵回路４３においてスイッチ制御回路部４５を形成している抵抗部材４４と、錠制御回路部４７に設けられたリレー４８とが接続され、これによりリレー４８がオフからオンに切り替わる。これにより、鍵回路４３に含まれる抵抗部材４４と、錠制御回路部４７に含まれる抵抗部材４９とが電気的に接続され、鍵回路４３に含まれる２つの抵抗部材４４、錠制御回路部４７に含まれる３つの抵抗部材４９、５０，５１および錠制御回路部４７に含まれる１つのコンパレータ５２から構成される比較回路が形成される。そして、この比較回路では、次式に示す比較動作が行われ、鍵回路４３に含まれる２つの抵抗部材４４の抵抗値に応じて決定されるレベルを有する出力電圧がコンパレータ５２からＣＰＵ２５に出力される。
【００８２】
【数２】
2011174268.tif 000004
このような構成を有する電気錠システム４１では、登録済みの正しい鍵４２を鍵穴に挿入しなければ、リレー４８がオンにならず、錠制御回路部４７の一部が形成されない。したがって、電気錠システム４１によれば、鍵回路４３の構成、錠制御回路部４７の構成、および鍵情報の内容等を不正に解析されることを極めて困難にすることができ、施錠対象物の不正解錠を効果的に防止することができる。
【００８３】
なお、本発明の電気錠システムにおいて、鍵回路を構成する抵抗部材の個数、鍵回路の具体的な回路構成（すなわち複数の抵抗部材の具体的な接続態様）は、図２、図３、図８等に示すものに限定されない。鍵情報のデータ長やデータ構造等に応じ、抵抗部材の個数や接続態様を変更することができる。また、錠制御回路部における抵抗部材の個数や回路構成についても同様である。
【００８４】
また、鍵回路を構成する抵抗部材として、抵抗素子ではなく、コンデンサ、コイルといった他のインピーダンス素子を用いることも可能である。この場合には、鍵回路に供給する検出電流として交流電流を用いる構成とすることができる。
【００８５】
また、上述した各実施形態では、施錠対象物が建物の部屋のドアである場合を例にあげたが、電気錠システム１（４１）の施錠対象物はこれに限らない。本発明は、ロッカー、金庫、自動車など様々な構造物の施解錠に適用することができ、さらには、自動車のイグニッション装置等にも適用することができる。この場合、鍵情報には、施錠対象物や適用対象物に応じた管理コード情報を含めることができる。
【００８６】
また、本発明は、請求の範囲および明細書全体から読み取ることのできる発明の要旨または思想に反しない範囲で適宜変更可能であり、そのような変更を伴う電気錠システムもまた本発明の技術思想に含まれる。
【符号の説明】
【００８７】
１、４１  電気錠システム
２、４２  鍵
３、４６  錠制御装置
４  施錠装置
６、４３  鍵回路
６Ａ  鍵挿入完了回路部
６Ｂ  現場コード回路部
６Ｃ  部屋番号回路部
６Ｄ  追番回路部
６Ｅ  鍵種類回路部
７  シリンダ（鍵穴部材）
７Ａ  鍵穴
８、４７  錠制御回路部（錠制御回路）
１１、４４  抵抗部材
１２  鍵側電極
１５  錠側電極（錠制御回路）
１６  配線（錠制御回路）
１８  鍵挿入開始センサ（鍵挿入開始検出部）
１９  鍵挿入完了検出部
３１  鍵情報
３２  鍵種類情報
３３  鍵特定情報
３４  現場コード情報（属性情報）
３５  部屋番号情報（属性情報）
３６  追番情報
４５  スイッチ制御回路部
４８  リレー（スイッチ部材）
【図１】
2011174268.tif 000005
【図２】
2011174268.tif 000006
【図３】
2011174268.tif 000007
【図４】
2011174268.tif 000008
【図５】
2011174268.tif 000009
【図６】
2011174268.tif 000010
【図７】
2011174268.tif 000011
【図８】
2011174268.tif 000012